【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信のための方法であって、
ワイヤレス通信ネットワークにおいて2つ以上のアップリンクコンポーネントキャリア(CC)を使用するワイヤレス通信を確立するステップであって、前記2つ以上のアップリンクCCのうちの第1のアップリンクCCが、免許不用の用途に利用することができる共有無線周波数(RF)スペクトル帯域を使用する、ステップと、
前記2つ以上のアップリンクCCの各々が同じタイミングアドバンスグループ(TAG)に含まれるように構成されることを確認するステップと、
サウンディング基準信号(SRS)が前記2つ以上のアップリンクCCのうちの前記第1のアップリンクCCを使用して第1のシンボルにおいて送信されるべきであることを確認するステップと、
物理アップリンク共有チャネル(PUSCH)送信または物理アップリンク制御チャネル(PUCCH)送信のうちの1つまたは複数が前記2つ以上のアップリンクCCのうちの第2のアップリンクCCを使用して前記第1のシンボルにおいて送信されるべきであると判定するステップと、
前記2つ以上のアップリンクCCを使用する前記第1のシンボルの間の前記送信が電力の制限を受けると判定するステップと、
前記第1のアップリンクCCの送信向けに設定された最小保証電力レベルを使用し、前記第1のアップリンクCCを使用し、および前記第2のアップリンクCCを使用する前記PUSCHまたはPUCCHのうちの1つまたは複数を送信する、前記SRSを前記第1のシンボルにおいて送信するステップと
を含む方法。
【請求項２】
前記送信するステップは、
前記SRSの前記送信を破棄するステップをさらに含む、請求項1に記載の方法。
【請求項３】
前記送信するステップは、
前記SRSを無線フレームの通常のアップリンクサブフレームの間に送信するステップ
をさらに含む、請求項1に記載の方法。
【請求項４】
前記送信するステップは、
前記SRSを無線フレームの特殊サブフレームの間に送信するステップ
をさらに含む、請求項1に記載の方法。
【請求項５】
前記送信するステップは、
2つ以上のSRSシンボルを前記特殊サブフレームのアップリンクパイロットタイムスロット(UpPTS)の間に送信するステップ
をさらに含む、請求項4に記載の方法。
【請求項６】
前記送信するステップは、
専用RFスペクトル帯域を介してCCを使用して前記SRSを送信するためのチャネル優先順位とは異なるチャネル優先順位を使用し、前記共有RFスペクトル帯域を介して前記第1のアップリンクCCを使用して前記SRSを送信するステップ
をさらに含む、請求項1に記載の方法。
【請求項７】
前記送信するステップは、
前記SRSを前記第1のシンボルの周波数帯域幅にわたるようにフォーマッティングするステップ
をさらに含む、請求項1に記載の方法。
【請求項８】
前記フォーマッティングするステップは、前記周波数帯域幅のパワースペクトル密度限界に少なくとも部分的に基づく、請求項7に記載の方法。
【請求項９】
前記2つ以上のアップリンクCCは、送信時間間隔(TTI)の間のアップリンク送信用に割り振られたアップリンクCCの第1のセットを含み、前記送信するステップは、
前記アップリンクCCの前記第1のセットを使用して前記PUCCH送信またはPUSCH送信のうちの1つまたは複数を送信するステップと、
前記アップリンクCCの前記第1のセットには含まれない異なるアップリンクCCを使用して前記SRSを送信するステップと
をさらに含む、請求項1に記載の方法。
【請求項１０】
前記異なるアップリンクCCは、ダウンリンクCCの第2のセットに関連するCCであり、前記アップリンクCCの前記第1のセットは、前記ダウンリンクCCの前記第2のセットよりも少ないCCを含む、請求項9に記載の方法。
【請求項１１】
前記第1のアップリンクCCと前記第2のアップリンクCCは異なるCCである、請求項1に記載の方法。
【請求項１２】
基地局におけるワイヤレス通信のための方法であって、
ワイヤレス通信ネットワークにおいて2つ以上のアップリンクコンポーネントキャリア(CC)を使用するユーザ機器(UE)におけるワイヤレス通信を構成するステップであって、前記2つ以上のアップリンクCCのうちの第1のアップリンクCCが、免許不用の用途に利用することができる共有無線周波数(RF)スペクトル帯域を使用する、ステップと、
前記2つ以上のアップリンクCCの各々を同じタイミングアドバンスグループ(TAG)に含まれるように構成するステップと、
前記2つ以上のアップリンクCCのうちの前記第2のアップリンクCCを使用して第1のシンボルの間に送信されるべき物理アップリンク共有チャネル(PUSCH)送信または物理アップリンク制御チャネル(PUCCH)送信のうちの1つまたは複数と同時に、前記第1のアップリンクCCを使用した送信のときに使用されるべき最小保証電力レベルに少なくとも部分的に基づいて、サウンディング基準信号(SRS)が前記2つ以上のアップリンクCCのうちの前記第1のアップリンクCCを使用して前記第1のシンボルにおいて送信されるように構成するステップと
を含む方法。
【請求項１３】
前記SRSを送信されるように構成する前記ステップは、
前記SRSを無線フレームの通常のアップリンクサブフレームの間に送信されるように構成するステップ
をさらに含む、請求項12に記載の方法。
【請求項１４】
前記SRSを送信されるように構成するステップは、
前記SRSを無線フレームの特殊サブフレームの間に送信されるように構成するステップ
をさらに含む、請求項12に記載の方法。
【請求項１５】
前記構成するステップは、
1つまたは複数のSRSシンボルを前記特殊サブフレームのアップリンクパイロットタイムスロット(UpPTS)の間に送信されるように構成するステップ
をさらに含む、請求項14に記載の方法。
【請求項１６】
前記SRSを送信されるように構成するステップは、
専用RFスペクトル帯域を介して送信されるべき前記第2のアップリンクCCを送信するためのチャネル優先順位とは異なるチャネル優先順位を使用して前記共有RFスペクトル帯域を介して送信されるように前記第1のアップリンクCCを構成するステップ
をさらに含む、請求項12に記載の方法。
【請求項１７】
前記SRSを送信されるように構成するステップは、
前記SRSを前記第1のシンボルの周波数帯域幅にわたるように構成するステップ
をさらに含む、請求項12に記載の方法。
【請求項１８】
前記SRS用の前記周波数帯域幅は、前記周波数帯域幅のパワースペクトル密度限界に少なくとも部分的に基づいて設定される、請求項17に記載の方法。
【請求項１９】
送信時間間隔(TTI)の間のアップリンク送信用に前記2つ以上のアップリンクCCを含むアップリンクCCの第1のセットを割り振るステップと、
前記アップリンクCCの前記第1のセットとは異なるCCを含むダウンリンクCCの第2のセットを使用してダウンリンク送信を送信するステップとをさらに含み、
前記SRSを送信されるように構成する前記ステップは、前記アップリンクCCの前記第1のセットに含まれない前記ダウンリンクCCの前記第2のセットのCCを使用して送信されるように前記SRSを構成するステップをさらに含む、請求項12に記載の方法。
【請求項２０】
前記第1のアップリンクCCと前記第2のアップリンクCCは異なるCCである、請求項12に記載の方法。
【請求項２１】
ワイヤレス通信のための装置であって、
プロセッサと、
前記プロセッサと電子的に通信するメモリと、
前記メモリに記憶され、実行可能な命令であって、前記プロセッサによって実行されると、
ワイヤレス通信ネットワークにおいて2つ以上のアップリンクコンポーネントキャリア(CC)を使用するワイヤレス通信を確立することであって、前記2つ以上のアップリンクCCのうちの第1のアップリンクCCが、免許不用の用途に利用することができる共有無線周波数(RF)スペクトル帯域を使用する、確立することと、
前記2つ以上のアップリンクCCの各々が同じタイミングアドバンスグループ(TAG)に含まれるように構成されることを確認することと、
サウンディング基準信号(SRS)が前記2つ以上のアップリンクCCのうちの前記第1のアップリンクCCを使用して第1のシンボルにおいて送信されるべきであることを確認することと、
物理アップリンク共有チャネル(PUSCH)送信または物理アップリンク制御チャネル(PUCCH)送信のうちの1つまたは複数が前記2つ以上のアップリンクCCのうちの第2のアップリンクCCを使用して前記第1のシンボルにおいて送信されるべきであると判定することと、
前記2つ以上のアップリンクCCを使用する前記第1のシンボルの間の前記送信が電力の制限を受けると判定することと、
前記第1のアップリンクCCの送信向けに設定された最小保証電力レベルを使用し、前記第1のアップリンクCCを使用し、および前記第2のアップリンクCCを使用する前記PUSCHまたはPUCCHのうちの1つまたは複数を送信することと、
を前記装置に行わせるための命令とを備える装置。
【請求項２２】
ワイヤレス通信のための装置であって、
プロセッサと、
前記プロセッサと電子的に通信するメモリと、
前記メモリに記憶され、実行可能な命令であって、前記プロセッサによって実行されると、
ワイヤレス通信ネットワークにおいて2つ以上のアップリンクコンポーネントキャリア(CC)を使用するユーザ機器(UE)におけるワイヤレス通信を構成することであって、前記2つ以上のアップリンクCCのうちの第1のアップリンクCCが、免許不用の用途に利用することができる共有無線周波数(RF)スペクトル帯域を使用する、構成すること、
前記2つ以上のアップリンクCCの各々を同じタイミングアドバンスグループ(TAG)に含まれるように構成することと、
前記2つ以上のアップリンクCCのうちの第2のアップリンクCCを使用して第1のシンボルの間に送信されるべき物理アップリンク共有チャネル(PUSCH)送信または物理アップリンク制御チャネル(PUCCH)送信のうちの1つまたは複数と同時に、前記第1のアップリンクCCの送信のために構成される最小保証電力レベルに少なくとも部分的に基づいて、サウンディング基準信号(SRS)が前記2つ以上のアップリンクCCのうちの前記第1のアップリンクCCを使用して前記第1のシンボルにおいて送信されるように構成することと
を備える装置。